(57)【要約】【課題】  ユーザのチャンネル選局時における操作性が従来より向上したＴＶ受像機を提供する。【解決手段】  本ＴＶ受像機は、複数のチャンネルの内から選局されたチャンネルで放送を受信して映像及び音声を出力するようになっており、目印表示制御部１６ｂとチェック設定／解除部１７ａとを備えている。チェック設定／解除部１７ａは、ユーザが関心を寄せる一又は複数の放送番組にチェックを設定する。目印表示制御部１６ｂは、チェック設定／解除部１７ａによりチェックが設定された放送番組であるチェック番組に対し、ＴＶモニタ３の画面上で、目印を表示するように制御する。【選択図】  図３
2009105813.tif 000002
【特許請求の範囲】
【請求項１】
複数のチャンネルの内から選局されたチャンネルで放送を受信する放送受信装置であって、
一又は複数の放送番組に、チェックを設定するチェック設定手段と、
該チェック設定手段によりチェックが設定された放送番組であるチェック番組に対し、所定の表示部上で目印を表示するように制御する目印表示制御手段と
を備えたことを特徴とする放送受信装置。
【請求項２】
チャンネル番号を前記表示部上に表示するように制御するチャンネル番号表示制御手段を備え、
前記目印表示制御手段は、
前記チェック番組に対する目印の表示として、前記チャンネル番号表示制御手段により表示される前記チャンネル番号の表示形態を通常とは異ならせ、又は、前記チャンネル番号表示制御手段により表示される前記チャンネル番号に所定の図形を付加して表示することを特徴とする請求項１に記載の放送受信装置。
【請求項３】
所定の番組情報を前記表示部上に表示するように制御する番組表表示制御手段を備え、
前記目印表示制御手段は、
前記チェック番組に対する目印の表示として、前記番組表表示制御手段により表示される番組情報の内の、前記チェック番組についての番組情報の少なくとも一部の表示形態を通常とは異ならせ、又は、前記番組表表示制御手段により表示される番組情報の内の、前記チェック番組についての番組情報に所定の図形を付加して表示することを特徴とする請求項１に記載の放送受信装置。
【請求項４】
ユーザが放送番組に対する前記チェックの設定を指示するための設定指示手段を備え、
前記チェック設定手段は、
前記設定指示手段での指示に基づいて、前記チェックの設定を行うことを特徴とする請求項１乃至請求項３のいずれか一項に記載の放送受信装置。
【請求項５】
前記チェック設定手段は、
一の放送番組が所定時間以上視聴されている場合に、該一の放送番組に対し前記チェックの設定を行うことを特徴とする請求項１乃至請求項４のいずれか一項に記載の放送受信装置。
【請求項６】
ユーザが前記チェック番組に対する前記チェックの解除を指示するための解除指示手段を備え、
前記チェック設定手段は、
前記解除指示手段での指示に基づき、前記チェックの解除を行うことを特徴とする請求項１乃至請求項５のいずれか一項に記載の放送受信装置。
【請求項７】
前記チェック設定手段は、
チェックが設定された前記チェック番組の終了する終了時刻を、所定の番組情報に基づき特定すると共に、特定された前記終了時刻に、現在時刻が達したとき、前記チェックの解除を行うことを特徴とする請求項１乃至請求項６のいずれか一項に記載の放送受信装置。
【請求項８】
前記チェック設定手段によりチェックが設定されている複数のチェック番組を同時に前記表示部上に表示するチェック確認モードを開始するように、ユーザが指示するための開始指示手段と、
該開始指示手段での指示に基づき、前記チェック設定手段によりチェックが設定されている複数のチェック番組を同時に前記表示部上に表示するように制御するチェック確認モード制御手段とを備えたことを特徴とする請求項１乃至請求項７のいずれか一項に記載の放送受信装置。
【請求項９】
前記チェック確認モード制御手段は、
前記チェック設定手段によりチェックが設定されている複数のチェック番組の内の一つのチェック番組を、前記表示部上に設けられた所定のメイン画面に表示するように制御すると共に、前記チェック設定手段によりチェックが設定されている複数のチェック番組の内の他のチェック番組を、前記表示部上に設けられた、前記メイン画面よりも小さなサブ画面に表示するように制御することを特徴とする請求項８に記載の放送受信装置。
【請求項１０】
前記チェック確認モード制御手段により前記表示部の前記メイン画面上に表示されている前記チェック番組の切り替えを、ユーザが指示するための切替指示手段を備え、
前記チェック確認モード制御手段は、
前記切替指示手段での指示に基づき、前記表示部の前記メイン画面上に表示されているチェック番組を切り替えることを特徴とする請求項９に記載の放送受信装置。
【請求項１１】
前記開始指示手段により開始された前記チェック確認モードを終了するように、ユーザが指示するための終了指示手段を備え、
前記チェック確認モード制御手段は、
前記終了指示手段での指示に基づき、前記表示部上の前記メイン画面に表示されているチェック番組を前記表示部上に通常表示するように制御することを特徴とする請求項１０に記載の放送受信装置。
【請求項１２】
前記チェック設定手段によりチェックが設定されている複数のチェック番組のそれぞれの視聴時間の長さ及び残り視聴時間の長さのいずれかを算出する視聴時間算出手段と、
該視聴時間算出手段により算出された視聴時間の長さ又は残り視聴時間の長さが大きいほど、該視聴時間又は該残り視聴時間に対応するチェック番組が先に表示されるように、各チェック番組に表示順序を設定する表示順序設定手段と、
該表示順序設定手段により表示順序が設定された前記チェック番組のそれぞれを、前記表示順序に従って順に、前記表示部上に表示するチェック確認モードを開始するように、ユーザが指示するための開始指示手段と、
該開始指示手段での指示に基づき、前記表示順序設定手段により表示順序が設定された前記チェック番組のそれぞれを、前記表示順序に従って順に、前記表示部上に表示するように制御するチェック確認モード制御手段とを備えたことを特徴とする請求項１乃至請求項７のいずれか一項に記載の放送受信装置。
【請求項１３】
前記チェック確認モード制御手段により前記表示部上に表示されているチェック番組の切り替えを、ユーザが指示するための切替指示手段を備え、
前記チェック確認モード制御手段は、
前記切替指示手段での指示に基づき、前記表示部上に表示するチェック番組を切り替えることを特徴とする請求項１２に記載の放送受信装置。
【請求項１４】
前記開始指示手段により開始された前記チェック確認モードを終了するように、ユーザが指示するための終了指示手段を備え、
前記チェック確認モード制御手段は、
前記終了指示手段での指示に基づき、前記表示部上に表示されているチェック番組を前記表示部上に通常表示するように制御することを特徴とする請求項１３に記載の放送受信装置。
【請求項１５】
前記チェック設定手段は、
前記終了指示手段での指示に基づいて、全てのチェックを解除することを特徴とする請求項１１又は請求項１４に記載の放送受信装置。
【請求項１６】
複数のチャンネルの内から選局されたチャンネルで放送を受信する放送受信装置であって、
放送番組を放送している、チャンネルの内のいずれか一又は複数のチャンネルに、チェックを設定するチェック設定手段と、
該チェック設定手段によりチェックが設定されたチャンネルに対し、所定の表示部上で目印を表示するように制御する目印表示制御手段と
を備えたことを特徴とする放送受信装置。
【請求項１７】
複数のチャンネルの内から選局されたチャンネルで放送を受信する放送受信方法であって、
一又は複数の放送番組に、チェックを設定し、
該チェックが設定された放送番組であるチェック番組に対し、所定の表示部上で目印を表示するように制御することを特徴とする放送受信方法。
【請求項１８】
複数のチャンネルの内から選局されたチャンネルで放送を受信する放送受信方法であって、
放送番組を放送している、チャンネルの内のいずれか一又は複数のチャンネルに、チェックを設定し、
該チェックが設定されたチャンネルに対し、所定の表示部上で目印を表示するように制御することを特徴とする放送受信方法。
【発明の詳細な説明】
【技術分野】
【０００１】
本発明は、複数のチャンネルの内から選局されたチャンネルで放送を受信する放送受信装置に関する。
【背景技術】
【０００２】
従来から知られたテレビジョン受像機の一つは、ユーザがチャンネルをザッピングしているとき（リモコン操作によりチャンネルをしきりに切り替えているとき）等に、その受信されているチャンネルに対し、優先度を設定可能になっている。即ち、リモコンには、「見たい記憶ボタン」及び「見たくない記憶ボタン」が設けられている。ユーザが見たい記憶ボタンを押すことによりチャンネルの優先度を１だけ増加させると共に、見たくない記憶ボタンを押すことによりチャンネルの優先度を１だけ減少させるようになっている。
【０００３】
そして、この優先度が設定された後に、ユーザが、リモコン上に設けられたチャンネル番号Upボタン及びチャンネル番号Downボタンのいずれかチャンネル送りボタンを押した際、その優先度に応じたチャンネル表示が行われるようになっている。即ち、チャンネル送りボタンが押された際に、（Ａ）優先度が低いチャンネルを表示しないようにスキップしたり、（Ｂ）そのチャンネル送りボタンの押下に先立ち、優先度に応じてチャンネルの表示順序を並べ替えたりしていた（特許文献１参照）。
【０００４】
【特許文献１】特開２００１−３２６８６２号公報（段落００８０、００８１、００８６、００８７、図７等）
【発明の開示】
【発明が解決しようとする課題】
【０００５】
しかしながら、従来のテレビジョン受像機において、（Ａ）低優先度のチャンネルをスキップする場合、ユーザは、あるチャンネルに対して見たくない記憶ボタンを押したとしても、そのチャンネルにおける後の放送番組のシーンによっては、その判断が誤りであったと思うことがあった。つまり、チャンネルをスキップしてしまうと、その後の放送番組のシーンが全く確認できないため、ユーザはチャンネル選局に不便を感ずることがあった。
【０００６】
また、（Ｂ）優先度に応じてチャンネルの表示順序を並べ替える場合、ユーザは、どのチャンネルに対して、見たくない記憶ボタンや見たい記憶ボタンを押したかわからなくなり、選局における操作性がよくないと感ずることがあった。
【０００７】
本発明の目的は、上記課題を解決できる放送受信装置等を提供することである。
【課題を解決するための手段】
【０００８】
本発明に係る第１の放送受信装置は、複数のチャンネルの内から選局されたチャンネルで放送を受信する放送受信装置であって、一又は複数の放送番組に、チェックを設定するチェック設定手段と、該チェック設定手段によりチェックが設定された放送番組であるチェック番組に対し、所定の表示部上で目印を表示するように制御する目印表示制御手段とを備えたことを特徴とする。
本発明に係る放送受信装置は、上記放送受信装置において、チャンネル番号を前記表示部上に表示するように制御するチャンネル番号表示制御手段を備え、前記目印表示制御手段は、前記チェック番組に対する目印の表示として、前記チャンネル番号表示制御手段により表示される前記チャンネル番号の表示形態を通常とは異ならせ、又は、前記チャンネル番号表示制御手段により表示される前記チャンネル番号に所定の図形を付加して表示することを特徴とする。
本発明に係る放送受信装置は、上記放送受信装置において、所定の番組情報を前記表示部上に表示するように制御する番組表表示制御手段を備え、前記目印表示制御手段は、前記チェック番組に対する目印の表示として、前記番組表表示制御手段により表示される番組情報の内の、前記チェック番組についての番組情報の少なくとも一部の表示形態を通常とは異ならせ、又は、前記番組表表示制御手段により表示される番組情報の内の、前記チェック番組についての番組情報に所定の図形を付加して表示することを特徴とする。
本発明に係る放送受信装置は、上記放送受信装置において、ユーザが放送番組に対する前記チェックの設定を指示するための設定指示手段を備え、前記チェック設定手段は、前記設定指示手段での指示に基づいて、前記チェックの設定を行うことを特徴とする。
本発明に係る放送受信装置は、上記放送受信装置において、前記チェック設定手段は、一の放送番組が所定時間以上視聴されている場合に、該一の放送番組に対し前記チェックの設定を行うことを特徴とする。
本発明に係る放送受信装置は、上記放送受信装置において、ユーザが前記チェック番組に対する前記チェックの解除を指示するための解除指示手段を備え、前記チェック設定手段は、前記解除指示手段での指示に基づき、前記チェックの解除を行うことを特徴とする。
本発明に係る放送受信装置は、上記放送受信装置において、前記チェック設定手段は、チェックが設定された前記チェック番組の終了する終了時刻を、所定の番組情報に基づき特定すると共に、特定された前記終了時刻に、現在時刻が達したとき、前記チェックの解除を行うことを特徴とする。
本発明に係る放送受信装置は、上記放送受信装置において、前記チェック設定手段によりチェックが設定されている複数のチェック番組を同時に前記表示部上に表示するチェック確認モードを開始するように、ユーザが指示するための開始指示手段と、該開始指示手段での指示に基づき、前記チェック設定手段によりチェックが設定されている複数のチェック番組を同時に前記表示部上に表示するように制御するチェック確認モード制御手段とを備えたことを特徴とする。
本発明に係る放送受信装置は、上記放送受信装置において、前記チェック確認モード制御手段は、前記チェック設定手段によりチェックが設定されている複数のチェック番組の内の一つのチェック番組を、前記表示部上に設けられた所定のメイン画面に表示するように制御すると共に、前記チェック設定手段によりチェックが設定されている複数のチェック番組の内の他のチェック番組を、前記表示部上に設けられた、前記メイン画面よりも小さなサブ画面に表示するように制御することを特徴とする。
本発明に係る放送受信装置は、上記放送受信装置において、前記チェック確認モード制御手段により前記表示部の前記メイン画面上に表示されている前記チェック番組の切り替えを、ユーザが指示するための切替指示手段を備え、前記チェック確認モード制御手段は、前記切替指示手段での指示に基づき、前記表示部の前記メイン画面上に表示されているチェック番組を切り替えることを特徴とする。
本発明に係る放送受信装置は、上記放送受信装置において、前記開始指示手段により開始された前記チェック確認モードを終了するように、ユーザが指示するための終了指示手段を備え、前記チェック確認モード制御手段は、前記終了指示手段での指示に基づき、前記表示部上の前記メイン画面に表示されているチェック番組を前記表示部上に通常表示するように制御することを特徴とする。
本発明に係る放送受信装置は、上記放送受信装置において、前記チェック設定手段によりチェックが設定されている複数のチェック番組のそれぞれの視聴時間の長さ及び残り視聴時間の長さのいずれかを算出する視聴時間算出手段と、該視聴時間算出手段により算出された視聴時間の長さ又は残り視聴時間の長さが大きいほど、該視聴時間又は該残り視聴時間に対応するチェック番組が先に表示されるように、各チェック番組に表示順序を設定する表示順序設定手段と、該表示順序設定手段により表示順序が設定された前記チェック番組のそれぞれを、前記表示順序に従って順に、前記表示部上に表示するチェック確認モードを開始するように、ユーザが指示するための開始指示手段と、該開始指示手段での指示に基づき、前記表示順序設定手段により表示順序が設定された前記チェック番組のそれぞれを、前記表示順序に従って順に、前記表示部上に表示するように制御するチェック確認モード制御手段とを備えたことを特徴とする。
本発明に係る放送受信装置は、上記放送受信装置において、前記チェック確認モード制御手段により前記表示部上に表示されているチェック番組の切り替えを、ユーザが指示するための切替指示手段を備え、前記チェック確認モード制御手段は、前記切替指示手段での指示に基づき、前記表示部上に表示するチェック番組を切り替えることを特徴とする。
本発明に係る放送受信装置は、上記放送受信装置において、前記開始指示手段により開始された前記チェック確認モードを終了するように、ユーザが指示するための終了指示手段を備え、前記チェック確認モード制御手段は、前記終了指示手段での指示に基づき、前記表示部上に表示されているチェック番組を前記表示部上に通常表示するように制御することを特徴とする。
本発明に係る放送受信装置は、上記放送受信装置において、前記チェック設定手段は、前記終了指示手段での指示に基づいて、全てのチェックを解除することを特徴とする。
本発明に係る第２の放送受信装置は、複数のチャンネルの内から選局されたチャンネルで放送を受信する放送受信装置であって、放送番組を放送している、チャンネルの内のいずれか一又は複数のチャンネルに、チェックを設定するチェック設定手段と、該チェック設定手段によりチェックが設定されたチャンネルに対し、所定の表示部上で目印を表示するように制御する目印表示制御手段とを備えたことを特徴とする。
本発明に係る第１の放送受信方法は、複数のチャンネルの内から選局されたチャンネルで放送を受信する放送受信方法であって、一又は複数の放送番組に、チェックを設定し、該チェックが設定された放送番組であるチェック番組に対し、所定の表示部上で目印を表示するように制御することを特徴とする。
本発明に係る第２の放送受信方法は、複数のチャンネルの内から選局されたチャンネルで放送を受信する放送受信方法であって、放送番組を放送している、チャンネルの内のいずれか一又は複数のチャンネルに、チェックを設定し、該チェックが設定されたチャンネルに対し、所定の表示部上で目印を表示するように制御することを特徴とする。
【発明の効果】
【０００９】
本発明によると、ユーザが関心を寄せている（視聴したいであろう）放送番組等を目印によって明確に表すことが可能であるため、ユーザのチャンネル選局時における操作性が向上する。
【発明を実施するための最良の形態】
【００１０】
以下、本発明を実施するための最良の実施の形態を、図面を参照しつつ説明する。
（第１の実施の形態）
本発明に係る第１の実施の形態であるＴＶ受像機（テレビジョン受像機）につき説明する。図１に模式的に示すように、このＴＶ受像機１はアンテナ２で受信された放送波を映像信号及び音声信号に変換し、ＴＶモニタ３はこれら映像信号及び音声信号に基づき映像及び音声を出力するようになっている。その受信される放送波（放送）は、複数のチャンネルの内からユーザが選局したチャンネルに対応する。
【００１１】
より詳細に説明すると、同図１に示すデジタルチューナー１１は、アンテナ２で受信される放送波を復調してトランスポートパケット（ＴＳパケット）を出力する。ここで復調される放送波は、ＢＳ放送によるもの、１１０度ＣＳ放送によるもの、及び、地上デジタル放送によるものとしてよい。デジタルチューナー１１はこれらの放送波を適宜選択的に復調してＴＳパケットをＴＳデコーダ１２に出力するようになっている。
【００１２】
ＴＳデコーダ１２は、このＴＳパケットから映像データ及び音声データを抽出する。抽出された映像データ及び音声データは、ＭＰＥＧ−２又はＭＰＥＧ−４等によって符号化されているデジタルデータである。映像デコーダ１３はこの符号化された映像データを復号化し、音声デコーダ１４は符号化された音声データを復号化する。また、ＴＳパケットには番組情報が含まれており、ＴＳデコーダ１２はＴＳパケットから番組情報を抽出するようになっている。この番組情報は、ＥＰＧと呼ばれる番組表を生成するためのデータである。番組情報には、各放送番組について放送局、放送日、開始時刻及び終了時刻を表すデータと、例えば放送番組名、テーマ、出演者、番組内容の要約などの放送番組を案内するデータとが含まれる。
【００１３】
表示ユニット１５は、映像デコーダ１３にて復号化された映像データに、ＯＳＤ処理部１６で生成されるＯＳＤ表示のためのデータを重ね合わせた後、その重ね合わせ後の映像データをテレビ信号に変換してＴＶモニタ３に出力する。このＯＳＤ表示には、視聴中の放送番組についてのチャンネル番号の表示や、番組情報（番組表）の表示が含まれる。音声デコーダ１４にて復号化された音声データは、ＴＶモニタ３に設けられた（図示しない）スピーカから出力される。
【００１４】
システムコントローラ１７は、ユーザによるリモコン４の操作に基づきチャンネルを切り替えながら、これら各部１１〜１６の動作を制御するようになっている。ＲＡＭ１８はシステムコントローラの実行するプログラムやこのプログラムにて用いられるデータを一時的に記憶するものであり、ＲＯＭ１９はＴＶ受像機１の基本機能を実現するためのプログラム、ＯＳＤ表示に用いる文字フォント等を記憶している。内部ＨＤＤ２０は、ＴＳデコーダ１２にて抽出された番組情報、及び、システムコントローラ１７が実行するプログラム等を記憶する。
【００１５】
なお、このＴＶ受像機１では、従来から公知の手法によってマルチ画面表示が可能となっている。つまり、システムコントローラ１７側からデジタルチューナー１１、ＴＳデコーダ１２、映像デコーダ１３、及び、表示ユニット１５を制御することによって、ＴＶモニタ３の画面を所定のレイアウトで分割し、その分割された画面のそれぞれに放送番組の映像を同時に表示することが可能である。
【００１６】
リモコン４は、その設けられた操作ボタンに対するユーザの操作に応じ、赤外線による操作信号を送信し、リモコン受信部２１は、この操作信号を受信するようになっている。各部１１〜２１はシステムバス２２により接続されている。
【００１７】
図２に示すように、リモコン４には、操作ボタン４１〜５３等が設けられている。ユーザがこれら操作ボタン４１〜５３のいずれかを押すと、ＴＶ受像機１本体はその押下に応じた動作を行うようになっている。具体的には、電源ボタン４１はＴＶ受像機１本体の電源をオン及びオフするためのボタンである。チェックボタン４２は、ユーザが関心を寄せる一又は複数の放送番組にチェックの設定を指示するためのボタンである。後に詳述するが、ある放送番組が放送されている間に、このチェックボタン４２を押すと、ＴＶ受像機１内でその放送番組にチェックが設定され、このチェックが設定された放送番組に対して、ＴＶモニタ３上で目印が表示されるようになっている。
【００１８】
チェック確認ボタン４３は、チェック確認モードが、ＴＶ受像機１にて開始されるように、ユーザが指示するためのボタンである。このチェック確認モードでは、チェックボタン４２によりチェックが設定された複数の放送番組（以下、このチェックが設定された放送番組をチェック番組ということがある）が、同時に、ＴＶモニタ３の画面上に表示され、視聴番組の選択がユーザに促される。逆送り選局ボタン４４は、通常時に、受信されているチャンネルを、チャンネル番号とは逆順に切り替えるためのボタンであり、順送り選局ボタン４５は、チャンネルを、チャンネル番号の順に切り替えるためのボタンである。この逆送り選局ボタン４４及び順送り選局ボタン４５は、通常の視聴時ばかりでなく、チェック確認モードにおいても用いられる。
【００１９】
番組表ボタン４６は番組情報を一覧表形式で番組表上に表示させるためのボタンである。カーソルボタン４７〜５０はＴＶモニタ３上にＯＳＤ表示された番組表等において選択項目（カーソル）を上下左右へと移動させるためのボタンである。決定ボタン５１はこのような選択項目を決定（確定）するためのボタンである。戻るボタン５２が押されると、直前のＯＳＤ画面が表示され、終了ボタン５３が押されると、番組表の表示等が終了される。
【００２０】
本ＴＶ受像機１は、ユーザが関心を寄せる一又は複数の放送番組に対してチェック番組が設定されて、ある放送番組がチェック番組であることが表示される点、チェック確認モードにおいて、それらチェック番組が同時に表示される点等を特徴とする。以下、これらについて詳細に説明する。
【００２１】
本ＴＶ受像機１は、その特徴に係り、図３に示す機能を有している。特に、システムコントローラ１７内の各部１７ａ〜ｃは、システムコントローラ１７がプログラムを実行することにより実現される機能を示すものである。ここで実行されるプログラムは、チェック設定／解除部１７ａと、チェック番組データ保持部１７ｂと、チェック確認モード処理部１７ｃとのそれぞれに対応する部分を含んでいる。
【００２２】
チェック設定／解除部１７ａは、リモコン４上のチェックボタン４２が押されると、その押された時点で選局（受信）されている一つの放送番組をチェック番組に設定するようになっている。チェック番組データ保持部１７ｂは、どのチャンネルのどの放送番組がチェック番組として設定されているかを示すチェック番組データを保持している。チェック番組の終了時刻が何時であるかを示すデータは、上述の番組情報中に含まれており、チェック番組データには、そのチェック番組の終了時刻も含まれている。
【００２３】
ＯＳＤ処理部１６は、チャンネル番号表示制御部１６ａと、目印表示制御部１６ｂとを有する。チャンネル番号表示制御部１６ａは、チャンネル番号をＴＶモニタ３の通常画面上に表示するように制御し、目印表示制御部１６ｂは、チェック番組データに基づき、ＴＶモニタ３上で、チェック番組のチャンネル番号への目印を表示するように制御する。
【００２４】
具体的には、そのチェック番組に対する目印として、例えば、図４（ａ）に示すように、ＴＶモニタ３の画面Ｓ上で、通常とは異なる表示形態のチャンネル番号「８」を表示する。通常のチャンネル番号の表示色が黄緑色であれば、チェック番組のチャンネル番号の表示色をオレンジにするといったようにである。（図４（ｂ）、（ｃ）のチャンネル番号自体の表示は通常の表示形態である。）
【００２５】
さらに、チェック番組が選局されていて、画面Ｓ上に、その映像と共に図４（ａ）に示すようなチャンネル番号が表示されている間に、ユーザがチェックボタン４２を再び押すと、この押下は、チェック番組に対するチェックの解除を指示することになる。チェック設定／解除部１７ａ（図３）は、この指示に基づいて、チェックの解除を行い、チェック番組データ保持部１７ｂに保持されていた、そのチェック番組についてのチェック番組データを消去する。
【００２６】
これらのチェック番組の手動設定及び手動解除に係るシステムコントローラ１７での処理につきより具体的に説明する。システムコントローラ１７は、図５に示す手動チェック設定／解除処理ルーチンを、所定の時間間隔で繰り返し実行するようになっている。先ず、ステップ１１（以下、ステップをＳと略す）において、リモコン４上のチェックボタン４２が押されたか否かが判定される。チェックボタン４２が押されなかった場合（Ｓ１１にてＮｏ）、本ルーチンは終了する。
【００２７】
チェックボタン４２が押された場合（Ｓ１１にてＹｅｓ）、ユーザが視聴している放送番組が特定される（Ｓ１２）。この放送番組の特定には、例えば、チャンネル番号と終了時刻とが用いられるものとしてよい。続いて、Ｓ１３では、この視聴中の放送番組に対して、既にチェックが設定されているか否かが判定される。
【００２８】
その放送番組に未だチェックが設定されていない場合（Ｓ１３にてＮｏ）、Ｓ１４で、この放送番組にチェックが設定され、本ルーチンは終了する。また、その放送番組に既にチェックが設定されていた場合（Ｓ１３にてＹｅｓ）、Ｓ１５で、この放送番組に対するチェックが解除され、本ルーチンは終了する。即ち、視聴中の放送番組のチェックが付与されているか否かの状態は、チェックボタン４２の押下によって反転するようになっている。
【００２９】
このような手動チェック設定／解除処理によると、ユーザは、関心を寄せる一又は複数の放送番組に対して、任意に、チェックを設定したり、そのチェックを解除したりすることが可能となっている。チェック番組については目印が表示されるから、ユーザは便利にチャンネル選局を行うことができる。例えば、ユーザが、ある放送番組を視聴している間、コマーシャルの放送中にチャンネルを切り替えることがある。ユーザは、その切り替える前に、その視聴している１つの放送番組に対しチェックボタン４２を押していれば、元のチャンネル（放送番組）に戻ったときに、そのことを確認することが可能である。
【００３０】
そして、複数のチェック番組が設定されている間にリモコン４上のチェック確認ボタン４３が押されると、チェック確認モード処理部１７ｃ（図３）は、チェック確認モードを開始し、それらのチェック番組の映像を同時にＴＶモニタ３に表示するように制御する。このチェック確認モードでは、複数のチェック番組の内の一つのチェック番組が、所定のレイアウトで設けられたメイン画面に表示され、他のチェック番組がサブ画面に表示される。サブ画面は、メイン画面よりも小さなサイズである。
【００３１】
例えば、図６（ａ）に示すように、チャンネルＡのある放送番組の映像とチャンネル番号とがＴＶモニタ３の画面Ｓ上に表示されており、この状態で、チャンネルＡ〜Ｆの放送番組がチェック番組に設定されているとする（Ａ〜Ｆはチャンネル番号）。
【００３２】
ここで、ユーザがチェック確認ボタン４３を押すと、図６（ｂ）に示すように、画面Ｓがメイン画面ｍとサブ画面ｓ１〜５とに分割される。メイン画面ｍには、チャンネルＡの放送番組の映像とチャンネル番号が表示され、サブ画面ｓ１〜５には、それぞれ、チャンネルＢ〜Ｆの放送番組の映像及びチャンネル番号が表示されている。この多画面が表示中の状態において、ユーザにはチェック番組の全てが提示されていることになり、ユーザに対してどの放送番組を視聴するかの選択が促されている。
【００３３】
このような多画面表示の状態で、ユーザがリモコン４上の順送り選局ボタン４５を押すと、画面Ｓ内のメイン画面ｍで表示されているチェック番組が、チャンネル番号の順で、他のチェック番組に切り替えられる。また、逆送り選局ボタン４４が押されると、メイン画面ｍで表示されているチェック番組が、チャンネル番号とは逆順で、他のチェック番組に切り替えられる。
【００３４】
例えば、図６（ｂ）の多画面表示の状態で、順送り選局ボタン４５が一度だけ押されると、メイン画面ｍでの表示内容及びサブ画面ｓ１〜５での表示内容が、反時計回りに送られ、図６（ｃ）に示す表示状態になる。ここでは、メイン画面ｍに、チャンネルＢの放送番組の映像とチャンネル番号とが表示され、サブ画面ｓ１〜５に、それぞれ、チャンネルＣ〜Ｆ、Ａの放送番組の映像及びチャンネル番号が表示されている。
【００３５】
チェック確認ボタン４３が再び押されると、チェック確認モード処理部１７ｃ（図３）は、メイン画面ｍに表示されているチェック番組を、ＴＶモニタ３の画面Ｓ上に通常表示するように制御する。即ち、チェック確認モードの実行中にチェック確認ボタン４３が押されると、そのチェック確認モードの終了が指示されたことになる。
【００３６】
これらチェック確認モードに係るシステムコントローラ１７での処理についてより具体的に説明する。システムコントローラ１７は、所定の時間間隔で、図７に示すチェック確認モード処理ルーチンを実行するようになっている。先ず、Ｓ２１では、リモコン４上のチェック確認ボタン４３が押されたか否かが判定される。チェック確認ボタン４３が押されていなかった場合（Ｓ２１にてＮｏ）、本ルーチンは終了する。
【００３７】
チェック確認ボタン４３が押された場合（Ｓ２１にてＹｅｓ）、複数のチェック番組につき、多画面上での表示位置が、チャンネル番号の順に設定される（Ｓ２２）。そして、システムコントローラ１７は、デジタルチューナー１１、ＴＳデコーダ１２、映像デコーダ１３、表示ユニット１５等に多画面表示を指示して、ＴＶモニタ３の画面上に多画面表示が行われる（Ｓ２３、前図６（ｂ））。
【００３８】
この多画面表示が行われている状態で、順送り選局ボタン４５が押されると（Ｓ２４にてＹｅｓ）、メイン画面及びサブ画面の並びが、反時計回りに切り替えられる（Ｓ２５、図６（ｃ））。また、逆送り選局ボタン４４が押されるｓ（Ｓ２６にてＹｅｓ）、メイン画面及びサブ画面の並びが、時計回りに切り替えられる（Ｓ２７）。
【００３９】
チェックボタン４２が押されると（Ｓ２８にてＹｅｓ）、メイン画面に表示されているチェック番組に対しチェックが解除され（Ｓ２９）、メイン画面及びサブ画面の表示位置がシフトされる（Ｓ３０）。この表示位置のシフトにより、例えば図６（ｃ）では、現時点でのメイン画面ｍ上のチェック番組が消去され、サブ画面ｓ１〜４が反時計回りに１画面分ずつ送られると共に、サブ画面ｓ１〜５の並びの最後の位置に置かれるサブ画面ｓ５に、ブランクが表示される。
【００４０】
続いて、Ｓ３１において、チェック番組が２以上残っているか否かが判定される。チェック番組が２以上残っている場合（Ｓ３１にてＹｅｓ）、Ｓ２３へと処理が戻され、シフトされた表示位置での多画面表示が指示される。また、チェック番組が２以上残っていない場合には（Ｓ３１にてＮｏ）、その１つだけ残っている、メイン画面上のチェック番組が、視聴画面に設定される（Ｓ３３）。そして、このチェック番組の映像が通常表示され、その音声が出力されるように、システムコントローラ１７側から指示され（Ｓ３４）、本ルーチンは終了する。
【００４１】
順送り選局ボタン４５、逆送り選局ボタン４４、チェックボタン４２、及び、チェック確認ボタン４３が押されなかった場合（Ｓ２４、Ｓ２６、Ｓ２８及びＳ３２にて順にＮｏ）、Ｓ２４ヘと処理が戻される。チェック確認ボタン４３が押された場合（Ｓ２４、Ｓ２６及びＳ２８にてＮｏ且つＳ３２にてＹｅｓ）、Ｓ３３へと処理が移され、このＳ３３及びＳ３４で、メイン画面に表示されているチェック番組が通常表示等されることになり、本ルーチンは終了する。
【００４２】
このようなチェック確認モードの実行によると、複数のチェック番組が同時にＴＶモニタ３の画面Ｓ上に表示されて、ユーザにチャンネル選局が促されるため、選局されたチェック番組に単に目印が表示されるよりも、より操作性が向上している。
【００４３】
ユーザは、逆送り選局ボタン４４及び順送り選局ボタン４５を押しながら、メイン画面ｍ上でチェック番組を確認して、再びチェック確認ボタン４３を押すことにより、チェック確認モードを終了させる。その終了する時点で、メイン画面ｍ上に表示中のチェック番組が自動的に通常の視聴番組として選択されるようになっているので、ユーザは、簡便に、チャンネル選局を行うことが可能である。
（特に、図５の手動チェック設定／解除処理が、図３のチェック設定／解除部１７ａに対応し、図７のチェック確認モード処理が、図３のチェック確認モード処理部１７ｃに対応している。）
【００４４】
以上のテレビジョン受像機１では、ユーザが関心を寄せている放送番組が目印により明確に表され、ユーザが関心を寄せていない放送番組であっても、従来のように、その表示がスキップされるといったことがない。そのため、ユーザのチャンネル選局時（ザッピング時）における操作性が向上している。さらに、チェック確認モードの実行は、チャンネル選局時におけるユーザの操作性をより向上させている。チャンネル数が多くなればなるほど、より有効である。
【００４５】
（第２の実施の形態）
本発明に係る第２の実施の形態であるテレビジョン受像機につき説明する。本テレビジョン受像機は、チェック番組の設定及び解除が自動的に行われる点が、第１の実施の形態と異なる。当然ながら、第１の実施の形態の手動でのチェック番組の設定及び解除に加えて、以下に説明する自動設定及び自動解除を行うようにしてもよい。ここで説明する第２の実施の形態の構成及び作用効果以外のテレビジョン受像機の構成及び作用効果については、第１の実施の形態に準ずるものとして、その詳細な説明を省略する。
【００４６】
本テレビジョン受像機では、システムコントローラ１７は、タイマを有し、現在時刻から視聴時間を計時することが可能となっている。チェック設定／解除部１７ａ（図３）は、一の放送番組が所定時間以上視聴されている場合に、その一の放送番組に対し、チェックの設定を行うようになっている。
【００４７】
チェック番組データ保持部１７ｂは、チェック番組データの一部として、チェック番組の終了時刻を保持していて、チェック設定／解除部１７ａは、現在時刻がチェック番組の終了時刻に達したとき、そのチェック番組に対するチェックの解除を行うようになっている。
【００４８】
自動チェック設定に係るシステムコントローラ１７での処理につき具体的に説明する。システムコントローラ１７は、図８の自動チェック設定処理ルーチンを所定の時間間隔で実行する。
【００４９】
先ず、Ｓ４１において、視聴が開始されたか否かが判定される。視聴が開始されなかった場合（Ｓ４１にてＮｏ）、本ルーチンはそのまま終了する。これに対し、視聴が開始された場合（Ｓ４１にてＹｅｓ）、視聴されている放送番組が特定され（Ｓ４２）、この視聴中の放送番組について初めての視聴であるか否かが判定される（Ｓ４３）。初めての視聴である場合（Ｓ４３にてＹｅｓ）、その放送番組に対する視聴開始時刻として現在時刻が設定され（Ｓ４４）、Ｓ４５へと処理が移される。初めての視聴でない場合（Ｓ４３にてＮｏ）、Ｓ４４がスキップされて、そのまま、Ｓ４５へと処理が移される。
【００５０】
Ｓ４５では、その視聴中の放送番組にチェックが設定されているか否かが判定される。チェックが既に設定されている場合（Ｓ４５にてＹｅｓ）、本ルーチンは終了する。一方、チェックが設定されていなかった場合（Ｓ４５にてＮｏ）、現在時刻と、過去にＳ４４で設定された視聴開始時刻とから、その視聴中の放送番組に対する視聴時間が算出される（Ｓ４６）。そして、この視聴時間が、例えば１〜３分の内の所定の設定時間より長くなっていない場合（Ｓ４７にてＮｏ）、本ルーチンは終了する。また、視聴中の放送番組に対する視聴時間が、その設定時間より長くなっている場合（Ｓ４７にてＹｅｓ）、この視聴中の放送番組に対してチェックが設定され（Ｓ４８）、本ルーチンは終了する。
【００５１】
このような自動チェック設定によると、ある放送番組についてユーザが関心を寄せていることが推定され、自動的にその放送番組に対してチェックが設定されるため、ユーザは、ある放送番組に対して関心を寄せているにもかかわらず、チェックの設定を忘れるといったミスを防ぐことができる。チャンネル選局時におけるユーザの操作性は向上している。
【００５２】
次に、自動チェック解除に係るシステムコントローラ１７での処理について具体的に説明する。システムコントローラ１７は、図９の自動チェック解除処理ルーチンを所定の時間間隔で実行する。
【００５３】
最初に、Ｓ５１において、現在時刻が、一つの放送番組の終了時刻に達して、その放送番組が終了したか否かが判定される。放送番組が終了していない場合には（Ｓ５１にてＮｏ）、本ルーチンはそのまま終了する。これに対し、放送番組が終了した場合（Ｓ５１にてＹｅｓ）、さらに、終了した放送番組にチェックが設定されているか否かが判定される（Ｓ５２）。
【００５４】
チェックが設定されていない場合（Ｓ５２にてＮｏ）、本ルーチンは終了し、チェックが設定されている場合（Ｓ５２にてＹｅｓ）、Ｓ５３において、そのチェック番組に対するチェックが解除された後に、本ルーチンは終了する。
【００５５】
このような自動チェック解除によると、目印を表示することが不要となったチェック番組につき自動的にチェックが解除され、チェックされている状態が無用に長く維持されているといったことがない。チェック番組でない放送番組に対して、目印が表示されることが防がれている。
【００５６】
（第３の実施の形態）
本発明に係る第３の実施の形態であるテレビジョン受像機につき説明する。本テレビジョン受像機は、主に、チェック確認モードで、チェック番組が順次表示されていき、このチェック番組の表示に先立ち表示順序が設定されている点が、第１の実施の形態と異なる。ここで説明する第３の実施の形態の構成及び作用効果以外のテレビジョン受像機の構成及び作用効果については、第１の実施の形態に準ずるものとして、その詳細な説明を省略する。図１０における本実施の形態の構成要素の内、図３における第１の実施の形態と同様の部分には、同じ符号を付している。
【００５７】
図１０に示すブロック図において、視聴時間算出部２７ａ、表示順序設定部２７ｂ、及び、チェック確認モード処理部２７ｃは、本実施の形態でのチェック確認モードに係る機能を示すものであり、システムコントローラ１７により実行されるプログラムの一部に対応する。
【００５８】
視聴時間算出部２７ａは、各チェック番組の視聴時間の長さを算出する。表示順序設定部２７ｂは、この算出された視聴時間が長いほど、その視聴時間に対応するチェック番組が先に表示されるように、各チェック番組に表示順序を設定する。チェック確認モード処理部２７ｃは、リモコン４上のチェック確認ボタン４３が押されると、チェック確認モードを開始し、表示順序設定部２７ｂで設定された表示順序に従って順に、チェック番組をＴＶモニタ３の画面上に表示するように制御する。
【００５９】
チェック確認モードが実行されている間には、その旨を示す表示が行われる。図１１に示すように、この表示は、ＴＶモニタ３の画面Ｓ上の右下隅での「チェック確認モード実行中」といった表示である。
【００６０】
ここでも、ユーザはリモコン４（図１０）上の逆送り選局ボタン４４及び順送り選局ボタン４５を押すことにより、チェック番組の切り替えを指示することができるようになっている。即ち、チェック確認モードの開始時には、表示順序の最も優先するチェック番組（チェック確認モードの開始時までに視聴時間の最も長かったチェック番組）がＴＶモニタ３の画面Ｓ上に表示されている。
【００６１】
そして、順送り選局ボタン４５が押されると、その表示されているチェック番組に対し表示順序が１つ後れるチェック番組、即ち、表示中のチェック番組の次に視聴時間が短かったチェック番組が表示される。また、逆送り選局ボタン４４が押されると、表示中のチェック番組に対し表示順序が１つ先んずるチェック番組、即ち、表示中のチェック番組の次に視聴時間が長かったチェック番組が表示される。
【００６２】
また、チェック確認モード実行中にチェック確認ボタン４３が再び押されると、チェック確認モード処理部２７ｃは、チェック確認モードを終了し、ＴＶモニタ３の画面Ｓ上に表示中のチェック番組を通常表示するように制御する。つまり、チェック確認ボタン４３は、第１の実施の形態と同様に、チェック確認モードの開始を指示するばかりではなく、その終了を指示するためにも用いられる。例えば、図１１では、チェック確認モードの終了と共に、チャンネル番号「１２」の表示と、「チェック確認モード実行中」の表示とが消去される。（放送番組の音声は、チェック確認モード実行中でも通常視聴時と同様に出力されている。）
【００６３】
これらのチェック確認モードに先立つチェック番組ソートに係るシステムコントローラ１７による処理につき具体的に説明する。システムコントローラ１７は、図１２のチェック番組ソート処理ルーチンを所定の時間間隔で繰り返し実行するようになっている。
【００６４】
Ｓ６１では、視聴中であるか否かが判定される。視聴中でない場合（Ｓ６１にてＮｏ）、本ルーチンはそのまま終了し、一方、視聴中である場合（Ｓ６１にてＹｅｓ）、視聴中の放送番組が特定される（Ｓ６２）。その放送番組につき初めての視聴である場合（Ｓ６３にてＹｅｓ）、その放送番組に対する視聴開始時刻として現在時刻が設定され（Ｓ６４）、Ｓ６５へと処理が移される。初めての視聴でない場合には（Ｓ６３にてＮｏ）、Ｓ６４がスキップされて、そのまま、Ｓ６５へと処理が移される。
【００６５】
Ｓ６５において、現在時刻と、過去にＳ６４で設定された視聴開始時刻とから、その視聴中の放送番組の視聴時間が算出され（Ｓ６５）、続くＳ６６では、その算出された視聴時間が、現在視聴していない他のチェック番組の視聴時間よりも長くなっているか否かが判定される。
【００６６】
視聴中の放送番組の視聴時間が、他のチェック番組の視聴時間よりも長くなっていない場合（Ｓ６６にてＮｏ）、本ルーチンは終了する。これに対し、視聴中の放送番組の視聴時間が、他のチェック番組の視聴時間よりも長くなっている場合（Ｓ６６にてＹｅｓ）、Ｓ６７で、その視聴中の放送番組にチェックが設定されているか否かが判定される。
【００６７】
視聴中の放送番組にチェックが設定されていない場合（Ｓ６７にてＮｏ）、そのまま本ルーチンは終了する。これに対し、視聴中の放送番組にチェックが既に設定されている場合（Ｓ６７にてＹｅｓ）、Ｓ６８で、視聴時間に基づきチェック番組の表示順序が並べ替えられるように設定された後、本ルーチンは終了する。（このチェック番組ソート処理は、図１０の視聴時間算出部２７ａ及び表示順序設定部２７ｂに対応する。）
【００６８】
このようなチェック番組ソートによると、複数のチェック番組に対し、チェック確認モードの開始時までに視聴時間が長かった順に、表示順序が設定される。そして、チェック確認モードにおいて、ユーザが逆送り選局ボタン４４及び順送り選局ボタン４５を押すと、設定された表示順序に従って順に、チェック番組の表示が切り替えられる。特に、ここでは、チェック確認モード非実行時にチェック番組に対する目印表示が行われることに加え、ユーザが必要を感じたときにチェック確認モードが実行されるようになっている。そのため、ユーザのチャンネル選局における利便性は、従来より向上している。
【００６９】
（他の実施の形態等）
以上、具体的な実施の形態により本発明を説明したが、本発明は、上記実施の形態に限定されず、本発明の用紙を逸脱しない範囲で変更して実施することができる。
【００７０】
ａ．  例えば、上記第１の実施の形態において、チェック番組に対する目印として、チャンネル番号の表示形態を通常とは異ならせるものとした。これとは異なり、チャンネル番号に所定の図形を付加するようにしてもよい。具体的には、チャンネル番号に近接する位置に配置したチェックボックスに、チェックを表示したり（図４（ｂ））、チャンネル番号に重ねて、しおりのマークを表示したり（図４（ｃ））してよい。
【００７１】
さらに、チェック確認モードが実行されていない間（又はチェック確認モードの実行中）に、図１３に示すタブ表示をチェック番組に対する目印としてもよい。このＴＶモニタ３の画面Ｓの下部のタブ表示では、チャンネル「１」、「８」、「１２」がチェック番組に設定されている。チャンネル番号に付したアンダーラインを目印としてもよい。
【００７２】
ｂ．  さらに、ＴＶモニタ３の画面Ｓに表示させる番組表上で、チェック番組に対する目印を表示してもよい。即ち、番組表上の番組情報の少なくとも一部の表示形態を異ならせたり、番組情報に所定の図形を付加したりすることにより、チェック番組に対する目印を表示する。
【００７３】
例えば、図１４（ａ）〜（ｃ）において、放送局Ｄの２１：００からの放送番組にチェックが設定されているものとする。図１４（ａ）では、チェック番組の目印として、放送番組に対応する欄の背景色に、通常とは異なる色が用いられている。図１４（ｂ）では、チェックボックス内にチェックが表示されており、図１４（ｃ）では、しおりマークが付されている。
【００７４】
ｃ．  チェックの解除について、第１の実施の形態では、手動によるものとし、第２の実施の形態では、チェック番組の終了時刻の到達によるものとした。これに代えて、チェック確認モードの終了時、即ち、チェック確認モードの実行中にチェック確認ボタン４３が押された時点に、全てのチェックが解除されるものとしてもよい。
【００７５】
通常であれば、チェック確認モードの終了時にチャンネル選局が確定し、チェックの設定が不要となるからである。この場合、ユーザは、チャンネル選局が確定した後に、手動でチェックを解除するといった必要がなくなるため、このようなＴＶ受像機は、利便性に優れている。
【００７６】
ｄ．  第１の実施の形態のチェック確認モードにおいて、チェック番組の減少に伴い表示位置がシフトされる際（図７のＳ３０）、その表示位置のシフトにより、サブ画面の一つにブランクが表示されるものとした。当然ながら、メイン画面とサブ画面とを合わせた全体の表示領域が大きくなるように、画面を再分割するようにしてもよい。
【００７７】
ｅ．  また、メイン画面とサブ画面とを合わせて、最大６画面表示されるようにしたが、最大５画面以下、又は、最大７画面以上が表示されるようにしてもよい。
【００７８】
ｆ．  メイン画面とサブ画面とは、同一のサイズで表示してもよい。この場合、チェック確認モード実行時において、例えば、ユーザが、チャンネル番号を直接指示して選局するためのチャンネルボタン５４ａ〜ｌ（図２）のいずれかを押すことにより、その選局されたチャンネルのチェック番組が通常表示されるようにする。
【００７９】
ｇ．  第３の実施の形態のチェック番組ソートでは、視聴時間により表示順序を設定した（図１２）が、残り視聴時間を用いてもよい。この場合、現在時刻と、番組情報中に含まれている放送番組の終了時刻とから、残り視聴時間を算出し、その残り視聴時間が長いチェック番組ほど、優先順位をより高くしたりする。
【００８０】
ｈ．  同図１２のチェック番組ソートでは、チェック番組についての視聴時間には、チェックボタン４２が押される前に視聴した分が含まれているが、チェックボタン４２が押された時点から視聴時間をカウントし出すようにしてもよい。
【００８１】
ｉ．  上記第１〜３の実施の形態では、放送番組に対しチェックを設定するようにした。これとは異なり、チャンネルに対してチェックを設定するようにしてもよい。この場合、チェック番組データに代えて、チェックが設定されているチャンネルを特定するデータであるチェックチャンネルデータが用いられる。そして、チャンネル番号のＯＳＤ表示において、そのチェックチャンネルデータに基づき表示形態を通常とは異ならせるといった目印の表示が制御される。
【００８２】
ｊ．  チェックの設定を指示する手段と、チェックの解除を指示する手段とは、同一のチェックボタン４２であることを想定したが、別のものであってもよい。例えば、戻るボタン５２や終了ボタン５３を押すことによりチェックの解除を指示するようにしてもよい。チェック確認ボタン４３についても同様である。
【００８３】
ｋ．  テレビジョン放送に適用したが、当然ながら、ラジオ放送やデータ放送にも適用可能である。
【００８４】
ｌ．  ＴＶモニタ３の画面Ｓ上に表示するものとしたが、リモコン４上のボタンに近接してＬＥＤを表示部として設け、これらのＬＥＤを発光させること等によって目印の表示を行うようにしてもよい。リモコン４上のボタンを透明に構成して、そのボタンの内部にＬＥＤを設け、これらのＬＥＤにより目印の表示を行うようになっていてもよい。
【００８５】
ｍ．  上記実施の形態において、チェック番組が１つだけ設定されているか、又は、チェック番組が全く設定されていない状態で、チェック確認ボタン４３が押された場合、チェック確認モードを実行せず、その実行が必要ない旨を表示するようにしてもよい。
【００８６】
ｎ．  ユーザがチェックを設定した放送番組につき、そのチェックと同時に自動的に録画が開始されるようにしてもよい。ユーザは、その録画された番組を後に視聴することが可能である。
【００８７】
ｏ．  チェックボタン４２が長押しされることによって、チェック確認ボタン４３の押下と同様に、チェック確認モードの開始及び終了が指示されるようになっていてもよい。
【図面の簡単な説明】
【００８８】
【図１】第１の実施の形態のＴＶ受像機の主なハードウェア構成を示すブロック図
【図２】ＴＶ受像機のリモコンによる操作を説明するためのリモコンの拡大図
【図３】ＴＶ受像機で実行されるプログラムの主な機能を示すブロック図
【図４】チェック番組に対する目印の例を示す図
【図５】手動チェック設定／解除処理の手順を示すフローチャート
【図６】第１の実施の形態におけるチェック確認モードでの動作を説明するための図
【図７】チェック確認モードでの処理の手順を示すフローチャート
【図８】第２の実施の形態での自動チェック設定処理の手順を示すフローチャート
【図９】自動チェック解除処理の手順を示すフローチャート
【図１０】第３の実施の形態で実行されるプログラムの主な機能を示すブロック図
【図１１】チェック確認モードでの表示の例を示す図
【図１２】チェック番組ソート処理の手順を示すフローチャート
【図１３】ＴＶモニタ上におけるチェック番組に対する目印の他の例を示す図
【図１４】ＴＶモニタに表示される番組表でのチェック番組の目印の例を示す図
【符号の説明】
【００８９】
１……………………ＴＶ受像機
２……………………アンテナ
３……………………ＴＶモニタ
４……………………リモコン
１１…………………デジタルチューナー
１２…………………ＴＳデコーダ
１３…………………映像デコーダ
１４…………………音声デコーダ
１５…………………表示ユニット
１６…………………ＯＳＤ処理部（番組表表示制御手段）
１６ａ………………チャンネル番号表示制御部（チャンネル番号表示制御手段）
１６ｂ………………目印表示制御部（目印表示制御手段）
１７…………………システムコントローラ
１７ａ………………チェック設定／解除部（チェック設定手段）
１７ｂ………………チェック番組データ保持部
１７ｃ，２７ｃ……チェック確認モード処理部（チェック確認モード制御手段）
１８…………………ＲＡＭ
１９…………………ＲＯＭ
２０…………………内部ＨＤＤ
２１…………………リモコン受信部
２７ａ………………視聴時間算出部（視聴時間算出手段）
２７ｂ………………表示順序設定部（表示順序設定手段）
４１…………………電源ボタン
４２…………………チェックボタン（設定指示手段、解除指示手段）
４３…………………チェック確認ボタン（開始指示手段、終了指示手段）
４４…………………逆送り選局ボタン（切替指示手段の一部）
４５…………………順送り選局ボタン（切替指示手段の一部）
４６…………………番組表ボタン
４７〜５０…………カーソルボタン
５１…………………決定ボタン
５２…………………戻るボタン
５３…………………終了ボタン
５４ａ〜ｌ…………チャンネルボタン
【図１】
2009105813.tif 000003
【図２】
2009105813.tif 000004
【図３】
2009105813.tif 000005
【図４】
2009105813.tif 000006
【図５】
2009105813.tif 000007
【図６】
2009105813.tif 000008
【図７】
2009105813.tif 000009
【図８】
2009105813.tif 000010
【図９】
2009105813.tif 000011
【図１０】
2009105813.tif 000012
【図１１】
2009105813.tif 000013
【図１２】
2009105813.tif 000014
【図１３】
2009105813.tif 000015
【図１４】
2009105813.tif 000016